【手続補正書】
【提出日】平成30年2月9日(2018.2.9)
【手続補正１】
【補正対象書類名】特許請求の範囲
【補正対象項目名】請求項１９
【補正方法】変更
【補正の内容】
【請求項１９】
請求項１〜１８のうちのいずれか１つに記載の画像処理システムであって、
前記基礎マスクは、前記ウエーブレット変換が行われていない状態の画像である原画像を対象にした原マスクであり、前記原マスクは、前記原画像中の各画素が前記ＲＯＩと前記非ＲＯＩのどちらに属するのかを示し且つ前記原画像中の前記ＲＯＩおよび前記非ＲＯＩに対応するＲＯＩ対応部分および非ＲＯＩ対応部分を有し、
前記合成実行部は、
前記基礎マスクに含まれる前記対象マスクの前記ＲＯＩ対応部分および前記非ＲＯＩ対応部分を、前記第１ウエーブレット係数データに含まれる各帯域成分用に展開するマスク展開処理を行うことによって、前記第１ウエーブレット係数データ用の展開マスクを生成する、マスク展開部
を有し、
前記合成実行部は、前記展開マスクにおける前記ＲＯＩ対応部分と前記非ＲＯＩ対応部分との区別に基づいて、前記係数判別処理を行う、
画像処理システム。
【手続補正２】
【補正対象書類名】特許請求の範囲
【補正対象項目名】請求項３４
【補正方法】変更
【補正の内容】
【請求項３４】
請求項１に記載の画像処理システムであって、
前記第１基礎画像データと前記基礎マスクデータとを出力するデータ供給システムをさらに備え、
前記データ供給システムは、
前記ＲＯＩを含む全体画像を縮小して小画像を生成する小画像生成部と、
前記小画像を対象にした小マスクを生成する小マスク生成部と、
前記小マスクを前記全体画像と同じ画像サイズに拡大して拡大マスクを生成するマスク拡大部と
を有し、
前記データ供給システムは、前記拡大マスクのデータを前記基礎マスクデータとして出力する、
画像処理システム。
【手続補正３】
【補正対象書類名】特許請求の範囲
【補正対象項目名】請求項３５
【補正方法】変更
【補正の内容】
【請求項３５】
請求項１に記載の画像処理システムであって、
前記基礎マスクは、前記第１基礎画像の縮小画像を対象にした小マスクの全体、または、前記小マスクのうちでＲＯＩ対応部分を含んだ一部分であり、
前記合成部は、
前記基礎マスクを前記第１対象画像の画像サイズに拡大して拡大マスクを生成するマスク拡大部
をさらに有し、
前記合成部は、前記拡大マスクを前記対象マスクとして利用する、
画像処理システム。
【手続補正４】
【補正対象書類名】特許請求の範囲
【補正対象項目名】請求項３８
【補正方法】変更
【補正の内容】
【請求項３８】
請求項３７に記載の画像処理システムであって、
前記マスク拡大部は、前記Ｒ回の拡大処理のうちの少なくとも１回の終了時点で、前記拡大後のマスクに対して平滑化処理を行う、
画像処理システム。
【手続補正５】
【補正対象書類名】特許請求の範囲
【補正対象項目名】請求項６２
【補正方法】変更
【補正の内容】
【請求項６２】
請求項６１に記載の画像処理システムであって、
前記マスク拡大部は、前記Ｒ回の拡大処理のうちの少なくとも１回の終了時点で、前記拡大後のマスクに対して平滑化処理を行う、
画像処理システム。
【手続補正６】
【補正対象書類名】明細書
【補正対象項目名】００１２
【補正方法】変更
【補正の内容】
【００１２】
【図１】実施の形態１について、画像処理システムの概念図である。
【図２】実施の形態１について、画像処理システムを説明するブロック図である。
【図３】実施の形態１について、画像処理システムを説明するブロック図である。
【図４】実施の形態１について、画像エンコーダを説明するブロック図である（動画像用）。
【図５】実施の形態１について、画像エンコーダを説明するブロック図である（静止画像用）。
【図６】実施の形態１について、全体画像の例を示す図である。
【図７】実施の形態１について、全体マスクの例を示す図である。
【図８】実施の形態１について、マスクエンコーダを説明するブロック図である。
【図９】実施の形態１について、データ供給システムの動作を説明するフローチャートである。
【図１０】実施の形態１について、画像デコーダを説明するブロック図である（動画像用）。
【図１１】実施の形態１について、画像デコーダを説明するブロック図である（静止画像用）。
【図１２】実施の形態１について、マスクデコーダを説明するブロック図である。
【図１３】実施の形態１について、合成部を説明するブロック図である。
【図１４】実施の形態１について、Ｍａｌｌａｔ型のウエーブレット平面を説明する図である（分解レベル１）。
【図１５】実施の形態１について、Ｍａｌｌａｔ型のウエーブレット平面を説明する図である（分解レベル２）。
【図１６】実施の形態１について、Ｍａｌｌａｔ型のウエーブレット平面を説明する図である（分解レベル３）。
【図１７】実施の形態１について、展開マスクを説明する図である（分解レベル１）。
【図１８】実施の形態１について、展開マスクを説明する図である（分解レベル２）。
【図１９】実施の形態１について、展開マスクを説明する図である（分解レベル３）。
【図２０】実施の形態１について、マスク展開処理を説明するフローチャートである。
【図２１】実施の形態１について、ウエーブレット変換に５×３フィルタが使用される場合のマスク展開処理を説明する図である。
【図２２】実施の形態１について、ウエーブレット変換にDaubechies９×７フィルタが使用される場合のマスク展開処理を説明する図である。
【図２３】実施の形態１について、係数合成処理（第１係数合成処理）を説明するフローチャートである。
【図２４】実施の形態１について、係数合成処理（第２係数合成処理）を説明するフローチャートである。
【図２５】実施の形態１について、画像合成システムの動作を説明するフローチャートである。
【図２６】実施の形態１について、画像合成の概念図である。
【図２７】実施の形態１について、第１対象画像の例を示す図である。
【図２８】実施の形態１について、対象マスクの例を示す図である。
【図２９】実施の形態１について、展開マスクの例を示す図である（分解レベル１）。
【図３０】実施の形態１について、展開マスクの例を示す図である（分解レベル２）。
【図３１】実施の形態１について、展開マスクの例を示す図である（分解レベル３）。
【図３２】実施の形態１について、第２対象画像の例を示す図である。
【図３３】実施の形態１に拠らない比較用の合成画像の例を示す図である。
【図３４】実施の形態１について、合成画像の例を示す図である（分解レベル１で合成）。
【図３５】実施の形態１について、合成画像の例を示す図である（分解レベル２で合成）。
【図３６】実施の形態１について、合成画像の例を示す図である（分解レベル３で合成）。
【図３７】実施の形態１について、合成画像の例を示す図である（分解レベル５で合成）。
【図３８】実施の形態２について、画像処理システムを説明するブロック図である。
【図３９】実施の形態２について、画像エンコーダを説明するブロック図である（動画像用）。
【図４０】実施の形態２について、画像エンコーダを説明するブロック図である（静止画像用）。
【図４１】実施の形態２について、画像デコーダを説明するブロック図である（動画像用）。
【図４２】実施の形態２について、画像デコーダを説明するブロック図である（静止画像用）。
【図４３】実施の形態２について、データ供給システムの動作を説明するフローチャートである。
【図４４】実施の形態２について、画像合成システムの動作を説明するフローチャートである。
【図４５】実施の形態３について、画像処理システムを説明するブロック図である。
【図４６】実施の形態３について、データ供給システムの動作を説明するフローチャートである。
【図４７】実施の形態３について、画像合成システムの動作を説明するフローチャートである。
【図４８】実施の形態４について、画像処理システムを説明するブロック図である。
【図４９】実施の形態５について、画像処理システムを説明するブロック図である。
【図５０】実施の形態６について、マスクデータ出力部を説明するブロック図である。
【図５１】実施の形態６について、合成部を説明するブロック図である。
【図５２】実施の形態６について、画像合成の概念図である。
【図５３】実施の形態６について、データ供給システムの動作を説明するフローチャートである。
【図５４】実施の形態６について、画像合成システムの動作を説明するフローチャートである。
【図５５】実施の形態７について、画像合成の概念図である。
【図５６】実施の形態７について、切り取り範囲を説明するための図である。
【図５７】実施の形態７について、切り取り範囲を説明するための図である。
【図５８】実施の形態７について、切り取り範囲を説明するための図である。
【図５９】実施の形態７について、切り取り範囲を説明するための図である。
【図６０】実施の形態７について、切り取り範囲決定処理を説明するフローチャートである。
【図６１】実施の形態７について、ウエーブレット変換で１画素分の出力を得るために必要な画素の範囲を説明する図である（５×３フィルタ）。
【図６２】実施の形態７について、ウエーブレット変換で１画素分の出力を得るために必要な画素の範囲を説明する図である（５×３フィルタ）。
【図６３】実施の形態７について、ウエーブレット変換で１画素分の出力を得るために必要な画素の範囲を説明する図である（Daubechies９×７フィルタ）。
【図６４】実施の形態７について、ウエーブレット変換で１画素分の出力を得るために必要な画素の範囲を説明する図である（Daubechies９×７フィルタ）。
【図６５】実施の形態７について、追跡最小範囲を説明するための図である。
【図６６】実施の形態７について、追跡最小範囲の左上端座標の求め方を説明するフローチャートである（５×３フィルタ）。
【図６７】実施の形態７について、追跡最小範囲の右下端座標の求め方を説明するフローチャートである（５×３フィルタ）。
【図６８】実施の形態７について、追跡最小範囲の左上端座標の求め方を説明するフローチャートである（Daubechies９×７フィルタ）。
【図６９】実施の形態７について、追跡最小範囲の右下端座標の求め方を説明するフローチャートである（Daubechies９×７フィルタ）。
【図７０】実施の形態７について、必要範囲（切り取り範囲）の求め方を説明するフローチャートである（５×３フィルタ）。
【図７１】実施の形態７について、必要範囲（切り取り範囲）の求め方を説明するフローチャートである（Daubechies９×７フィルタ）。
【図７２】実施の形態７について、マスクデータ出力部を説明するブロック図である。
【図７３】実施の形態７について、画像合成システムを説明するブロック図である。
【図７４】実施の形態７について、合成部を説明するブロック図である。
【図７５】実施の形態７について、データ供給システムの動作を説明するフローチャートである。
【図７６】実施の形態７について、画像合成システムの動作を説明するフローチャートである。
【図７７】実施の形態８について、画像合成の概念図である。
【図７８】実施の形態８について、データ供給システムを説明するブロック図である。
【図７９】実施の形態８について、合成部を説明するブロック図である。
【図８０】実施の形態８について、データ供給システムの動作を説明するフローチャートである。
【図８１】実施の形態８について、画像合成システムの動作を説明するフローチャートである。
【図８２】実施の形態９について、画像合成の概念図である。
【図８３】実施の形態９について、マスクデータ出力部を説明するブロック図である。
【図８４】実施の形態９について、合成部を説明するブロック図である。
【図８５】実施の形態９について、データ供給システムの動作を説明するフローチャートである。
【図８６】実施の形態９について、画像合成システムの動作を説明するフローチャートである。
【図８７】実施の形態１０について、画像合成の概念図である。
【図８８】実施の形態１０について、データ供給システムを説明するブロック図である。
【図８９】実施の形態１０について、合成部を説明するブロック図である。
【図９０】実施の形態１０について、データ供給システムの動作を説明するフローチャートである。
【図９１】実施の形態１０について、画像合成システムの動作を説明するフローチャートである。
【図９２】実施の形態１１について、画像合成の概念図である。
【図９３】実施の形態１１について、合成部を説明するブロック図である。
【図９４】実施の形態１１について、画像合成システムの動作を説明するフローチャートである。
【図９５】実施の形態１２について、画像合成の概念図である。
【図９６】実施の形態１２について、マスクデータ出力部を説明するブロック図である。
【図９７】実施の形態１２について、合成部を説明するブロック図である。
【図９８】実施の形態１２について、データ供給システムの動作を説明するフローチャートである。
【図９９】実施の形態１２について、画像合成システムの動作を説明するフローチャートである。
【図１００】実施の形態１３について、画像合成の概念図である。
【図１０１】実施の形態１３について、逆ウエーブレット変換部を説明するブロック図である。
【図１０２】実施の形態１４について、画像合成の概念図である。
【図１０３】実施の形態１４について、画像合成の概念図である。
【図１０４】実施の形態１４について、画像合成の概念図である。
【図１０５】実施の形態１４について、合成部を説明するブロック図である。
【図１０６】実施の形態１４について、画像合成システムの動作を説明するフローチャートである。
【図１０７】実施の形態１５について、画像合成の概念図である。
【図１０８】実施の形態１５について、合成部を説明するブロック図である。
【図１０９】実施の形態１５について、画像合成システムの動作を説明するフローチャートである。
【図１１０】実施の形態１６について、画像合成の概念図である。
【図１１１】実施の形態１６について、マスクデータ出力部を説明するブロック図である。
【図１１２】実施の形態１６について、マスク拡大処理を説明するフローチャートである。
【図１１３】実施の形態１６について、マスク拡大処理を説明する図である（１次元）。
【図１１４】実施の形態１６について、マスク拡大処理を説明する図である（２次元）。
【図１１５】実施の形態１６について、マスク拡大処理を説明する図である（２次元）。
【図１１６】実施の形態１６について、最後の拡大処理の後に平滑化処理を行う場合のフローチャートである。
【図１１７】実施の形態１６について、毎回の拡大処理の後に平滑化処理を行う場合のフローチャートである。
【図１１８】実施の形態１６について、拡大マスクの例を示す図である（平滑化処理を行わない場合）。
【図１１９】実施の形態１６について、拡大マスクの例を示す図である（膨張処理を２回行った場合）。
【図１２０】実施の形態１６について、拡大マスクの例を示す図である（膨張処理を２回行った後に、収縮処理を２回行った場合）。
【図１２１】実施の形態１６について、データ供給システムの動作を説明するフローチャートである。
【図１２２】実施の形態１７について、画像合成の概念図である。
【図１２３】実施の形態１７について、マスクデータ出力部を説明するブロック図である。
【図１２４】実施の形態１７について、合成部を説明するブロック図である。
【図１２５】実施の形態１７について、データ供給システムの動作を説明するフローチャートである。
【図１２６】実施の形態１７について、画像合成システムの動作を説明するフローチャートである。
【図１２７】実施の形態１７について、基礎マスクデータを符号化および復号化しない場合の画像処理システムを説明するブロック図である。
【図１２８】実施の形態１８について、画像合成の概念図である。
【図１２９】実施の形態１８について、マスクデータ出力部を説明するブロック図である。
【図１３０】実施の形態１８について、合成部を説明するブロック図である。
【図１３１】実施の形態１８について、切り取り範囲決定処理を説明するフローチャートである。
【図１３２】実施の形態１８について、小マスク必要範囲特定処理を説明する概念図である。
【図１３３】実施の形態１８について、小マスク必要範囲特定処理を説明するフローチャートである。
【図１３４】実施の形態１８について、データ供給システムの動作を説明するフローチャートである。
【図１３５】実施の形態１８について、画像合成システムの動作を説明するフローチャートである。
【図１３６】実施の形態１８について、画像合成システムの動作を説明するフローチャートである。
【図１３７】実施の形態１８について、画像合成の概念図である。
【図１３８】実施の形態１９について、画像処理システムを説明するブロック図である。
【図１３９】実施の形態１９について、画像処理装置を説明するハードウェア構成図である。
【手続補正７】
【補正対象書類名】明細書
【補正対象項目名】００２１
【補正方法】変更
【補正の内容】
【００２１】
Ｉ／Ｆ３３，４３は、通信インターフェースに加えてまたは代えて、外部記憶媒体用のインターフェースを含んでもよい。その場合、供給側装置３０と合成側装置４０との間の情報伝達は外部記憶媒体を介して行うことが可能であり、その外部記憶媒体が装置３０，４０間に介在する媒体５０に該当する。
【手続補正８】
【補正対象書類名】明細書
【補正対象項目名】００７４
【補正方法】変更
【補正の内容】
【００７４】
分解レベル１において、帯域成分ＬＬ１は画像の本質的な情報に対応する。なお、帯域成分ＬＬ１によれば、分解前の画像の１／４のサイズの画像（換言すれば、分解前の画像に対する縮小比が１／２の画像）を提供可能である。帯域成分ＨＬ１は垂直方向に伸びるエッジの情報に対応し、帯域成分ＬＨ１は水平方向に伸びるエッジの情報に対応する。帯域成分ＨＨ１は斜め方向に伸びるエッジの情報に対応する。これらの点は他の分解レベルについても同様である。例えば、分解レベル２の帯域成分ＬＬ２，ＨＬ２，ＬＨ２，ＨＨ２は、分解前の帯域成分ＬＬ１を原画像と見なした場合における帯域成分ＬＬ１，ＨＬ１，ＬＨ１，ＨＨ１とそれぞれ同様の関係にある。
【手続補正９】
【補正対象書類名】明細書
【補正対象項目名】００８３
【補正方法】変更
【補正の内容】
【００８３】
マスク展開部５２１は、原マスクのＲＯＩ対応部分および非ＲＯＩ対応部分を、第１ウエーブレット係数データＡ６１に含まれる各帯域成分用に（換言すれば、第１ウエーブレット係数データＡ６１に対応するウエーブレット平面に含まれる各帯域成分用に）展開する。このようなマスク展開処理によって、第１ウエーブレット係数データＡ６１用のマスクである展開マスクが生成される。マスクの展開に関しては、例えば特許文献６，７および非特許文献１を参照。
【手続補正１０】
【補正対象書類名】明細書
【補正対象項目名】００９７
【補正方法】変更
【補正の内容】
【００９７】
具体的には、第１ウエーブレット係数データＡ６１によるウエーブレット平面上の或る位置のデータが、ＲＯＩ係数でない（換言すれば非ＲＯＩ係数である）場合、当該非ＲＯＩ係数を、第２ウエーブレット係数データＤ６１によるウエーブレット平面上で同じ位置に存在するデータで置換する。これによれば、第１ウエーブレット係数データＡ６１が、合成済み係数データＥ６１に変換される。
【手続補正１１】
【補正対象書類名】明細書
【補正対象項目名】０１４２
【補正方法】変更
【補正の内容】
【０１４２】
図４６に、供給システム１１Ｃの動作を説明するフローチャートを示す。図４６の動作フローＳ１００Ｃによれば、実施の形態１に係る動作フローＳ１００（図９参照）からステップＳ１２４が削除されている。なお、ステップＳ１０５において、画像ビットストリームＡｂｓと、マスクビットストリームＢｂｓと、合成制御データＣ５０とが出力される。
【手続補正１２】
【補正対象書類名】明細書
【補正対象項目名】０１４３
【補正方法】変更
【補正の内容】
【０１４３】
図４７に、合成システム２１Ｃの動作を説明するフローチャートを示す。図４７の動作フローＳ４００Ｃによれば、実施の形態１に係る動作フローＳ４００（図２５参照）からステップＳ４３２が削除されている。なお、ステップＳ４１１において、画像ビットストリームＡｂｓと、マスクビットストリームＢｂｓと、合成制御データＣ５０とが取得される。
【手続補正１３】
【補正対象書類名】明細書
【補正対象項目名】０２１３
【補正方法】変更
【補正の内容】
【０２１３】
ステップＳ５５２においてｒがＢＸ２またはＢＹ２ではないと判別された場合（換言すれば、ｒが追跡最小範囲８２の左上端座標であると判別された場合）、ステップＳ５５３においてパラメータｓ＝２ｒ−２に設定される。これに対し、ステップＳ５５２においてｒがＢＸ２またはＢＹ２であると判別された場合（換言すれば、ｒが追跡最小範囲８２の右下端座標であると判別された場合）、ステップＳ５５４においてｓ＝２ｒ＋２に設定される。
【手続補正１４】
【補正対象書類名】明細書
【補正対象項目名】０２４３
【補正方法】変更
【補正の内容】
【０２４３】
基礎マスク生成ステップＳ１２２Ｇによれば、全体マスク生成ステップＳ１４１において、全体マスク生成部２１１が全体マスクデータＢ１０を生成する。切り取りステップＳ１４２において、切り取り範囲決定部２３２およびマスク切り取り部２３３が、全体マスクデータＢ１０から対象マスクデータＢ６０を生成する。対象マスクデータＢ６０は、その後、基礎マスクデータＢ５０として扱われる。すなわち、次のステップＳ１２３では、対象マスクデータＢ６０が符号化されて、マスクビットストリームＢｂｓが生成される。
【手続補正１５】
【補正対象書類名】明細書
【補正対象項目名】０３１３
【補正方法】変更
【補正の内容】
【０３１３】
図９３に、合成システム２１Ｋの合成部５００Ｋの構成例を示す。ここでは、合成部５００Ｋは、実施の形態７に係る画像デコーダ３００およびマスクデコーダ４００Ｇ（図７３参照）と組み合わされて、合成システム２１Ｋを構成するものとする。図９３に示すように、合成部５００Ｋは、実施の形態９に係る合成部５００Ｉ（図８４参照）に、既述の切り取り範囲決定部２３２が追加された構成を有する。
【手続補正１６】
【補正対象書類名】明細書
【補正対象項目名】０３１５
【補正方法】変更
【補正の内容】
【０３１５】
図９４に、合成システム２１Ｋの動作を説明するフローチャートを示す。図９４の動作フローＳ４００Ｋは基本的には実施の形態９に係る動作フローＳ４００Ｉ（図８６参照）と同様であるが、次の点が異なる。
【手続補正１７】
【補正対象書類名】明細書
【補正対象項目名】０３２８
【補正方法】変更
【補正の内容】
【０３２８】
基礎マスク生成ステップＳ１２２Ｌは、実施の形態６に係る基礎マスク生成ステップＳ１２２Ｆ（図５３参照）と同様に、原マスク生成ステップＳ１３１Ｌと、マスク展開ステップＳ１３２とに大別される。実施の形態１２に係る原マスク生成ステップＳ１３１Ｌは、実施の形態７に係る全体マスク生成ステップＳ１４１およびマスク切り取りステップＳ１４２（図７５参照）で構成されている。マスク展開ステップＳ１３２は既述の通りである。
【手続補正１８】
【補正対象書類名】明細書
【補正対象項目名】０３４９
【補正方法】変更
【補正の内容】
【０３４９】
図１０２〜図１０４から分かるように、第２対象画像の画像サイズを制御することによって、合成画像の画像サイズを制御できる。図１０２〜図１０４の例から、次の知見が得られる。
【手続補正１９】
【補正対象書類名】明細書
【補正対象項目名】０３６２
【補正方法】変更
【補正の内容】
【０３６２】
なお、第２対象画像のサイズを制御する画像サイズ制御データＣ７０を、供給システムから取得しない場合、図１０６の例とは違えて、ステップＳ４９０をステップＳ４１１，Ｓ４２２，Ｓ４３２，Ｓ４３３と並列に実行することも可能である。
【手続補正２０】
【補正対象書類名】明細書
【補正対象項目名】０３７８
【補正方法】変更
【補正の内容】
【０３７８】
例えば、小画像生成部２４１は、全体画像データＡ１０に対するウエーブレット変換を、最低域の帯域成分ＬＬを再帰的に分解する方式によって、分解レベルＲまで行う。そして、小画像生成部２４１は、分解レベルＲにおける最低域の帯域成分ＬＬを、小画像のデータである小画像データＡ３０として抽出する。
【手続補正２１】
【補正対象書類名】明細書
【補正対象項目名】０３８４
【補正方法】変更
【補正の内容】
【０３８４】
図１１３の推定規則を２次元に発展させると、図１１４に示すように、マスク画像の縦方向および横方向のそれぞれに図１１３の推定規則が適用される。具体的には、拡大前のマスクにおいて座標（Ｉ，Ｊ）の点のデータがＲＯＩに対応する場合、１段階（すなわち拡大比２１）拡大した後のマスクにおいて座標（２Ｉ，２Ｊ）を中心にした３×３点の範囲のデータがＲＯＩに対応すると推定する。換言すれば、座標（２Ｉ−１，２Ｊ−１）および座標（２Ｉ＋１，２Ｊ＋１）を対角点とする矩形範囲のデータをＲＯＩに対応付ける。同様に、２段階（すなわち拡大比２２）拡大した後のマスクでは、座標（４Ｉ，４Ｊ）を中心にした５×５点の範囲、換言すれば、座標（４Ｉ−２，４Ｊ−２）および座標（４Ｉ＋２，４Ｊ＋２）を対角点とする矩形範囲のデータがＲＯＩに対応付ける。図１１５に、より具体的な図を例示する。
【手続補正２２】
【補正対象書類名】明細書
【補正対象項目名】０４００
【補正方法】変更
【補正の内容】
【０４００】
図１２３に示すように、マスクデータ出力部２００Ｒは、マスク生成部２１０Ｒと、既述のマスクエンコーダ２５０とを含んでいる。マスク生成部２１０Ｒは、実施の形態１６に係るマスク生成部２１０Ｑ（図１１１参照）からマスク拡大部２４３が削除された構成を有する。これに伴い、小マスクデータＢ３１が基礎マスクデータＢ５０として、マスク生成部２１０Ｒから出力される。
【手続補正２３】
【補正対象書類名】明細書
【補正対象項目名】０４０５
【補正方法】変更
【補正の内容】
【０４０５】
図１２６に、合成システム２１Ｒの動作を説明するフローチャートを示す。図１２６の動作フローＳ４００Ｒによれば、実施の形態１に係る動作フローＳ４００（図２５参照）において、データ取得処理ステップＳ４１０の代わりに、データ取得処理ステップＳ４１０Ｒが設けられている。データ取得処理ステップＳ４１０Ｒは、図２５のデータ取得処理ステップＳ４１０においてステップＳ４３３の次にマスク拡大ステップＳ１６３が追加された構成を有する。
【手続補正２４】
【補正対象書類名】明細書
【補正対象項目名】０４１６
【補正方法】変更
【補正の内容】
【０４１６】
図１３０に示すように、合成部５００Ｓは、合成部５００Ｇ（図７４参照）にマスク拡大部２４４を追加した構成を有する。マスク拡大部２４４は実施の形態１７に係るマスク拡大部２４３と同様に動作する。具体的には、マスク拡大部２４４は、部分マスク（すなわち供給システム１１Ｓで切り取られた小マスクの一部分）のデータを基礎マスクデータＢ５０として取得する。マスク拡大部２４４は、当該部分マスクを第１対象画像の画像サイズに拡大することによって拡大マスクを生成する。そして、マスク拡大部２４４は、拡大マスクデータＢ３２を対象マスクデータＢ６０として合成実行部５２０に供給する。
【手続補正２５】
【補正対象書類名】明細書
【補正対象項目名】０４２０
【補正方法】変更
【補正の内容】
【０４２０】
すなわち、実施の形態７では、全体マスクは全体画像と同じ画像サイズを有するので、ステップＳ５０３で特定された切り取り範囲８３は全体マスクと全体画像とに共通である。これに対し、実施の形態１８では、全体マスクではなく小マスクを切り取るので、ステップＳ５０４の小マスク必要範囲特定処理が必要になる。
【手続補正２６】
【補正対象書類名】明細書
【補正対象項目名】０４３１
【補正方法】変更
【補正の内容】
【０４３１】
上記では、実施の形態１７と実施の形態７との組み合わせ例を説明した。この例は、実施の形態１７と実施の形態８（図７７参照）との組み合わせに変形可能である。具体的には、第１画像切り取り部５４０（図１３０参照）を、合成システム２１Ｓの合成部５００Ｓから削除し、供給システム１１Ｓの画像データ出力部に追加する（図７８に示した実施の形態８に係る画像データ出力部１００Ｈを参照）。これによれば、図１３７の概念図に示すように、全体画像のうちで画像切り取り範囲８３の部分を第１基礎画像として、供給システム１１ＳＢから合成システム２１ＳＢに供給することができる。なお、供給システム１１ＳＢおよび合成システム２１ＳＢのその他の構成は、ここでは上記の供給システム１１Ｓおよび合成システム２１Ｓと同様である。
【手続補正２７】
【補正対象書類名】図面
【補正対象項目名】図４９
【補正方法】変更
【補正の内容】
【図４９】
2016192054.tif 000001